(57)【要約】【課題】パーキングロック機構を大型化することなく、坂路（登降坂路）におけるパーキングロック解除性能を確保することが可能なパーキングロック装置を提供する。【解決手段】パーキングロック装置１を構成するＳＢＷ−ＣＵ４０は、Ｐレンジが選択された場合にパーキングピストン１１１に対する油圧の供給を停止し、Ｐレンジ以外のシフトレンジが選択された場合にパーキングピストン１１１に対して油圧を供給するように電磁バルブ９１を制御する切替制御部４１と、Ｐレンジが選択されており、路面の勾配が所定値以上である場合に、オイルポンプ２２を駆動するエンジン７０のエンジン回転数を上昇させるようにＥＣＵ６０に対して要求する回転数制御部４２とを備えている。【選択図】  図１
2020046040.tif 000002
【特許請求の範囲】
【請求項１】
パーキングギヤ及びパーキングポールを有し、該パーキングポールがパーキングギヤに噛み込むことにより該パーキングギヤをロックして自動変速機をパーキング状態にするパーキング機構と、
オイルポンプにより昇圧された油圧の供給が停止されたときに、前記パーキングギヤをロックし、油圧が供給されたときに、該油圧による押力により前記パーキングポールを駆動して前記パーキングギヤのロックを解除するロック状態切替手段と、
前記自動変速機のシフトレンジを選択する操作を受け付けるセレクト手段と、
路面の勾配を検出する勾配検出手段と、
パーキングレンジが選択された場合に前記ロック状態切替手段に対する油圧の供給を停止し、パーキングレンジ以外のシフトレンジが選択された場合に前記ロック状態切替手段に対して油圧を供給する切替制御手段と、
パーキングレンジが選択されており、路面の勾配が所定値以上である場合に、前記オイルポンプを駆動するエンジンのエンジン回転数を上昇させる回転数制御手段と、を備えることを特徴とするパーキングロック装置。
【請求項２】
車両の制動操作を検出する制動操作検出手段を備え、
前記回転数制御手段は、パーキングレンジが選択されており、路面の勾配が所定値以上であり、かつ、制動操作がされている場合に、前記オイルポンプを駆動するエンジンのエンジン回転数を上昇させることを特徴とする請求項１に記載のパーキングロック装置。
【請求項３】
前記回転数制御手段は、路面の勾配が大きくなるほど、エンジン回転数の上昇量を大きくすることを特徴とする請求項１又は２に記載のパーキングロック装置。
【請求項４】
前記ロック状態切替手段は、軸方向に移動可能に設けられたピストンと、前記ピストンの一方の端部側に設けられた油室と、前記ピストンの他方の端部側に配設されたスプリングと、を有し、前記油室に供給される油圧による押力と、前記スプリングの付勢力とのバランスにより、前記ピストンが軸方向に移動することによって、前記パーキングギヤのロック状態を切り替えることを特徴とする請求項３に記載のパーキングロック装置。
【発明の詳細な説明】
【技術分野】
【０００１】
本発明は、パーキングロック装置に関し、特に、油圧式のシフトバイワイヤ機構が採用された自動変速機のパーキングロック装置に関する。
【背景技術】
【０００２】
従来から、自動変速機では、Ｐ（パーキング）レンジが選択されたときには、自動変速機の出力軸に嵌合されたパーキングギヤがロックされるパーキングロック機構を備えている。また、近年、運転者が選択したシフトレンジをスイッチ等によって検出し、その検出結果に基づいて、例えば油圧式のアクチュエータを駆動することにより、自動変速機のシフトレンジを切り替えるシフトバイワイヤ（ＳＢＷ）機構を備えた自動変速機が実用化されている。
【０００３】
ここで、特許文献１には、ピストンロッドの移動によってパーキングロック状態とパーキングロック解除状態とを切り替える油圧アクチュエータを備えるパーキング装置が開示されている。より詳細には、特許文献１に記載のパーキング装置では、上記油圧アクチュエータが、ピストンロッドと、ピストンロッドに固定されたピストンと、ピストンロッド及びピストンをパーキングロック側に付勢するリターンスプリングとを有している。このパーキング装置では、油圧アクチュエータに対し、リターンスプリングの付勢力に抗する油圧を供給して、ピストンロッド及びピストンをパーキングロック解除側に移動することにより、パーキングロックを解除する。
【先行技術文献】
【特許文献】
【０００４】
【特許文献１】特開２０１６−１６８８８８号公報
【発明の概要】
【発明が解決しようとする課題】
【０００５】
ところで、例えば、坂路（登降坂路）でパーキングロックを解除しようとした場合、噛み合ったパーキングギヤとパーキングポールとの歯面には路面の勾配や車両の重量に応じた荷重がかかるため、ピストンロッド及びピストンをロック解除側に移動させるためにより大きな推力（油圧）が必要となる。一方、通常、オイルポンプの吐出量（油圧）は、オイルポンプを駆動するエンジンの回転数に依存し、アイドリング回転数では吐出量が少なくなる（油圧が低くなる）。よって、エンジンがアイドリング状態のときに、坂路（登降坂路）でパーキングロックを確実に解除するためには、油圧を受けるピストンの受圧面積（受圧径）をより大きくする必要があり、パーキングロック機構が大型化してしまうという問題があった。
【０００６】
本発明は、上記問題点を解消する為になされたものであり、パーキングロック機構を大型化することなく、坂路（登降坂路）におけるパーキングロック解除性能を確保することが可能なパーキングロック装置を提供することを目的とする。
【課題を解決するための手段】
【０００７】
本発明に係るパーキングロック装置は、パーキングギヤ及びパーキングポールを有し、該パーキングポールがパーキングギヤに噛み込むことにより該パーキングギヤをロックして自動変速機をパーキング状態にするパーキング機構と、オイルポンプにより昇圧された油圧の供給が停止されたときに、パーキングギヤをロックし、油圧が供給されたときに、該油圧による押力によりパーキングポールを駆動してパーキングギヤのロックを解除するロック状態切替手段と、自動変速機のシフトレンジを選択する操作を受け付けるセレクト手段と、路面の勾配を検出する勾配検出手段と、パーキングレンジが選択された場合にロック状態切替手段に対する油圧の供給を停止し、パーキングレンジ以外のシフトレンジが選択された場合にロック状態切替手段に対して油圧を供給する切替制御手段と、パーキングレンジが選択されており、路面の勾配が所定値以上である場合に、オイルポンプを駆動するエンジンのエンジン回転数を上昇させる回転数制御手段とを備えることを特徴とする。
【０００８】
本発明に係るパーキングロック装置によれば、パーキングレンジが選択された場合にロック状態切替手段に対する油圧の供給が停止され、パーキングレンジ以外のシフトレンジが選択された場合にロック状態切替手段に対して油圧が供給される。また、パーキングレンジが選択されており、路面の勾配が所定値以上である場合に、オイルポンプを駆動するエンジンのエンジン回転数が上昇される。そのため、エンジン回転数の上昇により、オイルポンプの回転数が上昇し、オイルポンプの吐出量（油圧）が増大する。よって、パーキングロック機構を大型化することなく（受圧面積を増大することなく）パーキングロックを解除する際の推力（押力）を増大することができる。その結果、パーキングロック機構を大型化することなく、坂路（登降坂路）におけるパーキングロック解除性能を確保することが可能となる。
【０００９】
また、本発明に係るパーキングロック装置は、車両の制動操作を検出する制動操作検出手段を備え、上記回転数制御手段が、パーキングレンジが選択されており、路面の勾配が所定値以上であり、かつ、制動操作がされている場合に、オイルポンプを駆動するエンジンのエンジン回転数を上昇させることが好ましい。
【００１０】
この場合、パーキングレンジが選択されており、路面の勾配が所定値以上であり、かつ、制動操作がされている場合に、オイルポンプを駆動するエンジンのエンジン回転数が上昇される。そのため、制動操作が行われ、パーキングロックを解除することが予想される場合にエンジン回転数が上昇される。よって、通常、パーキングロック中は操作する必要がなく、パーキングロックを解除する際に必要な制動操作をエンジン回転数上昇の条件とすることで、エンジン回転数の上昇による実燃費の悪化や振動・騒音の発生を最小限にすることが可能となる。
【００１１】
本発明に係るパーキングロック装置では、回転数制御手段が、路面の勾配が大きくなるほど、エンジン回転数の上昇量を大きくすることが好ましい。
【００１２】
ところで、路面の勾配が大きくなるほど、パーキングロックを解除する際に要求される推力（必要油圧）も大きくなる。この場合、路面の勾配が大きくなるほど、エンジン回転数の上昇量が大きくされる。そのため、路面の勾配が大きくなるほど、オイルポンプの回転数が上昇され、オイルポンプの吐出量（油圧）が増大される。すなわち、油圧による推力が増大される。よって、路面の勾配の大きさに応じて、油圧の大きさを調節でき、適切な油圧を発生させることが可能となる。
【００１３】
また、本発明に係るパーキングロック装置では、ロック状態切替手段が、軸方向に移動可能に設けられたピストンと、ピストンの一方の端部側に設けられた油室と、ピストンの他方の端部側に配設されたスプリングとを有し、油室に供給される油圧による押力と、スプリングの付勢力とのバランスにより、ピストンが軸方向に移動することによって、パーキングギヤのロック状態が切り替えられることが好ましい。このようにすれば、確実に、油圧の押力により、パーキングギヤのロック状態を切り替えることができる。
【発明の効果】
【００１４】
本発明によれば、パーキングロック機構を大型化することなく、坂路（登降坂路）におけるパーキングロック解除性能を確保することが可能となる。
【図面の簡単な説明】
【００１５】
【図１】実施形態に係るパーキングロック装置の構成を示すブロック図である。
【図２】実施形態に係るパーキングロック装置によるパーキングロック処理の処理手順を示すフローチャートである。
【図３】目標アイドリング回転数マップの一例を示す図である。
【発明を実施するための形態】
【００１６】
以下、図面を参照して本発明の好適な実施形態について詳細に説明する。なお、図中、同一又は相当部分には同一符号を用いることとする。また、各図において、同一要素には同一符号を付して重複する説明を省略する。
【００１７】
まず、図１を用いて、実施形態に係るパーキングロック装置１の構成について説明する。図１は、パーキングロック装置１の構成を示すブロック図である。
【００１８】
パーキングロック装置１が適用される自動変速機１０は、例えば、ロックアップクラッチ機能とトルク増幅機能を持つトルクコンバータ、及び、変速ギヤ列とコントロールバルブ（油圧機構）を含むトランスミッション部を有して構成され、コントロールバルブにより自動変速可能に構成された有段自動変速機や無段変速機（ＣＶＴ）などである。なお、本実施形態では、ＣＶＴを採用した。自動変速機１０は、エンジン７０の出力軸に接続され、該エンジン７０からの駆動力を変換して出力する（なお、図１では自動変速機１０とエンジン７０とを模式的に分離して示した）。
【００１９】
自動変速機１０は、シフトバイワイヤ・コントロールユニット（以下「ＳＢＷ−ＣＵ」という）４０によって駆動が制御され、該ＳＢＷ−ＣＵ４０からの制御信号（駆動信号）に応じて油圧を制御して、自動変速機１０のシフトレンジを切り替える油圧式のシフトバイワイヤ・アクチュエータ（以下「ＳＢＷアクチュエータ」という）１１を備えている。
【００２０】
例えば、車両のセンターコンソール等には、運転者によるシフト操作（自動変速機１０のシフトレンジを選択するための操作）を受付けるシフトレバー２１が設けられている。シフトレバー２１には、シフトレバー２１と連動して動くように接続され、該シフトレバー２１の選択位置を検出して、選択位置に応じた選択情報を出力するシフトレンジスイッチ２０が取り付けられている。シフトレンジスイッチ２０は、ＳＢＷ−ＣＵ４０（後述するＴＣＵ５０でもよい）に接続されており、検出されたシフトレバー２１の選択位置（選択情報）が、ＳＢＷ−ＣＵ４０に読み込まれる。ＳＢＷ−ＣＵ４０は、選択情報に基づいて自動変速機１０のシフトレンジを切り替える。なお、シフトレバー２１では、例えば、４つのシフトレンジ、すなわち、駐車レンジ（パーキング（Ｐ）レンジ）、後進走行レンジ（リバース（Ｒ）レンジ）、中立レンジ（ニュートラル（Ｎ）レンジ）、及び、前進走行レンジ（ドライブ（Ｄ）レンジ）を選択的に切り換えることができる。シフトレバー２１及びシフトスイッチ２０は、特許請求の範囲に記載のセレクト手段として機能する。
【００２１】
また、自動変速機１０は、Ｐレンジが選択されたときに、車輪が回転しないよう自動変速機内部で回転をロックするパーキング機構１１０を備えている。パーキング機構１１０は、パーキングギヤ１１４及びパーキングポール１１３を有し、パーキングポール１１３がパーキングギヤ１１４に噛み込むことによりパーキングギヤ１１４をロックして自動変速機１０をパーキング状態にする。
【００２２】
より具体的には、ＳＢＷ−ＣＵ４０により駆動されるＳＢＷアクチュエータ１１を構成するパーキングピストン１１１の出力軸には、パーキングロッド１１２が軸方向に進退可能に接続されている。一方、自動変速機１０の出力軸には、パーキングギヤ１１４がスプライン嵌合されている。また、該パーキングギヤ１１４と噛み合うことができるように、パーキングポール１１３が揺動可能に設けられている。
【００２３】
Ｐレンジが選択された場合には、パーキングピストン１１１のピストン１１１ａが図面右側に移動して、パーキングロッド１１２が軸方向に進出する。そして、該パーキングロッド１１２によってパーキングポール１１３が背面から押されて揺動し、パーキングギヤ１１４と噛み合う。これにより、自動変速機１０の回転がロックされる。
【００２４】
ここで、パーキングピストン１１１には、その一方の端部において、オイルが供給される油路９０が接続されている。パーキングピストン１１１は、その内部に、ピストン（スプールバルブ）１１１ａを軸方向に摺動自在に収容している。このピストン１１１ａの他方の端部にはスプリング１１１ｃが配設されており、油圧による押力（油圧×受圧面積）と、スプリング１１１ｃのバネ力（付勢力）とのバランスに応じてピストン１１１ａが軸方向に駆動される。その結果、パーキングロッド１１２、及び、パーキングポール１１３が駆動される。
【００２５】
パーキングピストン１１１では、スプリング１１１ｃのバネ力が、油室１１１ｂの油圧による押力よりも大きい場合（すなわち、油圧の供給が停止された場合）に、パーキングポール１１３を揺動してパーキングギヤ１１４をロックするように、ピストン１１１ａが図面右側に移動（摺動）する。よって、パーキングピストン１１１に対する油圧の供給が停止されたときには、パーキングポール１１３が駆動（揺動）されて、パーキングギヤ１１４がロック（すなわち、パーキング状態に）される。
【００２６】
一方、パーキングピストン１１１では、スプリング１１１ｃのバネ力が、油室１１１ｂの油圧による押力未満の場合（すなわち、油圧が供給された場合）に、パーキングポール１１３を揺動してパーキングギヤ１１４のロックを解除するように、ピストン１１１ａが図面左側に移動（摺動）する。よって、パーキングピストン１１１に対して油圧が供給されたときには、パーキングポール１１３の駆動（揺動）が停止されて、パーキングギヤ１１４のロックが解除（すなわち、非パーキング状態に）される。パーキングピストン１１１は、特許請求の範囲に記載のロック状態切替手段として機能する。
【００２７】
ここで、油路９０は、エンジン７０によって駆動され、オイルを昇圧して吐出するオイルポンプ２２と直接的又は間接的に接続されている。また、油路９０には、油路９０を開閉して、パーキングピストン１１１に対する油圧（オイル）の供給を実行又は停止するための電磁バルブ９１が介装されている。電磁バルブ９１はＳＢＷ−ＣＵ４０に接続されており、電磁バルブ９１の駆動はＳＢＷ−ＣＵ４０によって制御される。すなわち、ＳＢＷ−ＣＵ４０は、電磁バルブ９１の開閉を制御することにより、パーキングピストン１１１に対する油圧の供給を実行又は停止する。
【００２８】
上述したように、ＳＢＷ−ＣＵ４０は、ＳＢＷアクチュエータ１１と接続されている。また、ＳＢＷ−ＣＵ４０は、ＣＡＮ１００を介して、トランスミッション・コントロールユニット（以下「ＴＣＵ」という）５０、エンジン・コントロールユニット（以下「ＥＣＵ」という）６０、及び、ビークルダイナミック・コントロールユニット（以下「ＶＤＣＵ」という）８０等と通信可能に接続されている。
【００２９】
ここで、各コントロールユニットについて説明する。まず、ＴＣＵ５０は、自動変速機１０の変速制御を司る。ＴＣＵ５０には、自動変速機１０に設けられた各種センサ等が接続されている。また、ＴＣＵ５０は、ＣＡＮ１００を通して、ＥＣＵ６０から送信されたエンジン回転数やアクセルペダル開度等の情報、及びＳＢＷ−ＣＵから送信された自動変速機１０のシフトレンジ等の情報を受信する。
【００３０】
ＴＣＵ５０は、取得したエンジン回転数、アクセルペダル開度、車速、及び、シフトレンジ等の各種情報に基づいて、コントロールバルブ１５を構成するソレノイドバルブを駆動し、自動変速機１０の変速制御等を行う。ここで、コントロールバルブ１５は、自動変速機１０を変速させるための油圧をコントロールする。より具体的には、コントロールバルブ１５は、スプールバルブと該スプールバルブを動かすソレノイドバルブ（電磁弁）を用いて油路を開閉することで、オイルポンプ２２で発生した油圧を、例えば、ドライブプーリやドリブンプーリ等に供給する。なお、ＴＣＵ５０は、自動変速機１０の各種情報を、ＣＡＮ１００を介して、ＳＢＷ−ＣＵ４０に送信する。
【００３１】
ＥＣＵ６０は、各種センサから入力される検出信号に基づいて、エンジン回転数、吸入空気量、混合気の空燃比、アクセルペダル開度等の各種情報を取得し、取得した各種情報に基づいて、インジェクタ（燃料噴射量）、点火プラグ（点火時期）、及び、電子制御式スロットルバルブ６２（吸入空気量）などの各種アクチュエータ等を制御することによりエンジン７０を総合的に制御する。ここで、ＥＣＵ６０には、エンジン７０のクランクシャフトの回転位置を検出するクランク角センサ６１が接続されており、ＥＣＵ６０では、該クランク角センサ６１の出力からエンジン回転数が求められる。ＥＣＵ６０は、取得したエンジン回転数等の情報を、ＣＡＮ１００を介して、ＳＢＷ−ＣＵ４０に送信する。
また、ＥＣＵ６０は、ＣＡＮ１００を介して、ＳＢＷ−ＣＵ４０から、後述するエンジン回転数上昇要求（目標アイドリング回転数又は目標回転上昇量）を受信する。ＥＣＵ６０は、要求に応じて、電子制御式スロットルバルブ６２の開度を調節するとともに、燃料噴射量や点火時期などを調節して、エンジン回転数（アイドリング回転数）を上昇させる。
【００３２】
ＶＤＣＵ８０には、ブレーキアクチュエータ８３のマスタシリンダ圧力を検出するブレーキ油圧センサ８１（特許請求の範囲に記載の制動操作検出手段に相当）、及び、路面の勾配を検出するＧセンサ８２（特許請求の範囲に記載の勾配検出手段に相当）等が接続されている。ＶＤＣＵ８０は、ブレーキペダルの操作量に応じてブレーキアクチュエータ８３を駆動して車両を制動するとともに、車両挙動を各種センサ（例えば車速センサ、操舵角センサ、加速度センサ、ヨーレートセンサ等）により検知し、自動加圧によるブレーキ制御とエンジン７０のトルク制御により、横滑りを抑制し、旋回時の車両安定性を確保する。
【００３３】
なお、Ｇセンサ８２は、例えば、静電容量式などの、停車状態で車両の傾き（すなわち、路面の勾配）を検出できるセンサが好適に用いられる。ただし、Ｇセンサ８２に代えて、例えば、加速度センサを用いて検出した車両の前後加速度に０点学習値が加算された補正後加速度センサ値と、車速の微分値との差に基づいて、路面勾配を検出するようにしてもよい。また、エンジン７０の出力トルクから求められる駆動力と、車速の微分値から求められる車両の加速度と、予め設定されている車両重量とに基づいて、路面勾配を推定してもよい。ＶＤＣＵ８０は、取得したブレーキング情報（制動操作情報）、路面の勾配情報、車速情報等を、ＣＡＮ１００を介して、ＳＢＷ−ＣＵ４０に送信する。
【００３４】
ＳＢＷ−ＣＵ４０は、シフトレンジスイッチ２０により検出されたシフトレンジ、ＥＣＵ６０から受信したエンジン回転数、ＶＤＣＵ８０から受信した制動操作情報や路面の勾配情報、及び、ＴＣＵ５０から受信した各種入力情報等に基づいて、制御信号を生成して出力し、ＳＢＷアクチュエータ１１を駆動することにより自動変速機１０のシフトレンジを切り替える。ここで、ＳＢＷ−ＣＵ４０は、パーキングロック機構１１０を大型化することなく、坂路（登降坂路）におけるパーキングロック解除性能を確保する機能を有している。
【００３５】
そのため、ＳＢＷ−ＣＵ４０は、切替制御部４１、及び、回転数制御部４２を機能的に備えている。ＳＢＷ−ＣＵ４０は、演算を行うマイクロプロセッサ、該マイクロプロセッサに各処理を実行させるためのプログラム等を記憶するＥＥＰＲＯＭ、演算結果などの各種データを記憶するＲＡＭ、バッテリによってその記憶内容が保持されるバックアップＲＡＭ、及び、電磁バルブ９１を駆動するドライバ回路等を含む入出力Ｉ／Ｆ等を有して構成されている。ＳＢＷ−ＣＵ４０では、ＥＥＰＲＯＭなどに記憶されているプログラムがマイクロプロセッサによって実行されることにより、切替制御部４１、及び、回転数制御部４２の機能が実現される。
【００３６】
切替制御部４１は、選択されたシフトレンジに基づいて、パーキングピストン１１１に対する油圧の供給を制御（すなわち、パーキングピストン１１１に対して油圧を供給するか否かを制御）する。より具体的には、切替制御部４１は、Ｐレンジ以外のシフトレンジが選択された場合（選択情報が出力された場合）に、電磁バルブ９１を開弁して、パーキングピストン１１１に油圧を供給する。一方、切替制御部４１は、Ｐレンジが選択された場合（選択情報が出力された場合）に、電磁バルブ９１を閉弁して、パーキングピストン１１１に対する油圧の供給を停止する。すなわち、切替制御部４１は、特許請求の範囲に記載の切替制御手段として機能する。
【００３７】
回転数制御部４２は、シフトレンジ、路面の勾配、制動操作状態に基づいて、エンジン回転数（アイドリング回転数）を制御する。すなわち、回転数制御部４２は、特許請求の範囲に記載の回転数制御手段として機能する。より具体的には、回転数制御部４２は、Ｐレンジが選択されており、路面の勾配が所定値以上であり、かつ、制動操作がされている（例えばブレーキペダルが踏み込まれている）場合に、オイルポンプ２２を駆動するエンジン７０のエンジン回転数（アイドリング回転数）を上昇させるように、ＥＣＵ６０に対してエンジン回転数上昇要求（目標アイドリング回転数又は目標回転上昇量）を送信することにより、エンジン回転数（アイドリング回転数）の上昇要求（アップ要求）を行う。なお、回転数制御部４２は、Ｐレンジが選択されており、路面の勾配が所定値以上である場合に、エンジン７０のエンジン回転数（アイドリング回転数）を上昇させるように要求してもよい。
【００３８】
その際に、回転数制御部４２は、路面の勾配が大きくなるほど、エンジン回転数の上昇量が大きくなるように（すなわち、アイドリング回転数が高くなるように）要求値（目標アイドリング回転数又は目標回転上昇量）を設定する。より具体的には、ＳＢＷ−ＣＵ４０のＥＥＰＲＯＭ等には、予め、路面勾配（°）と目標アイドリング回転数又は目標回転上昇量（ｒｐｍ）との関係を定めたマップ（目標アイドリング回転数マップ）が記憶されており、ＳＢＷ−ＣＵ４０は、取得した路面勾配に基づいて、目標アイドリング回転数マップを検索して、目標アイドリング回転数又は目標回転上昇量を取得する。
【００３９】
ここで、目標アイドリング回転数マップの一例を図３に示す。図３において、横軸（行）は路面勾配（°）である。目標アイドリング回転数マップでは、図３に示されるように、路面勾配が大きくなるほど、目標アイドリング回転数又は目標回転上昇量（ｒｐｍ）が大きく（又は高く）なるように設定されている。
【００４０】
ＳＢＷ−ＣＵ４０は、取得したエンジン回転数上昇要求（目標アイドリング回転数又は目標回転上昇量）を、ＣＡＮ１００を介して、ＥＣＵ６０に対して送信する。なお、上述したように、目標アイドリング回転数又は目標回転上昇量（エンジン回転数上昇要求）を受信したＥＣＵ６０は、受信した目標アイドリング回転数又は目標回転上昇量にしたがって、エンジン回転数（アイドリング回転数）を上昇させる。
【００４１】
次に、図２を参照しつつ、パーキングロック装置１の動作について説明する。図２は、パーキングロック装置１によるパーキングロック処理の処理手順を示すフローチャートである。本処理は、主としてＳＢＷ−ＣＵ４０において、所定時間毎（例えば１０ｍｓ毎）に繰り返して実行される。
【００４２】
ステップＳ１００では、自動変速機１０のシフトレンジとして、Ｐレンジが選択されているか否かについての判断が行われる。ここで、Ｐレンジが選択されている場合には、ステップＳ１０２に処理が移行する。一方、Ｐレンジが選択されていないとき（すなわち、Ｐレンジ以外のシフトレンジが選択されているとき）には、本処理から一旦抜ける。
【００４３】
ステップＳ１０２では、路面の勾配が所定値以上であるか否か（すなわち、登降坂路（坂道）であるか否か）についての判断が行われる。ここで、路面の勾配が所定値以上である場合には、ステップＳ１０４に処理が移行する。一方、路面の勾配が所定値未満のときには、本処理から一旦抜ける。
【００４４】
ステップＳ１０４では、制動操作（ブレーキ操作）が行われているか否かについての判断が行われる。ここで、制動操作が行われている場合には、ステップＳ１０６に処理が移行する。一方、制動操作が行われていないときには、本処理から一旦抜ける。
【００４５】
ステップＳ１０６では、路面の勾配の大きさに応じて、目標アイドリング回転数（又は回転上昇量）が設定される。より具体的には、上述したように、例えば、路面の勾配の大きさを用いて、目標アイドリング回転数マップが検索されることにより、目標アイドリング回転数又は目標回転上昇量が設定される。
【００４６】
そして、ステップＳ１０８において、オイルポンプ２２を駆動するエンジン７０のエンジン回転数（アイドリング回転数）を上昇させるように、ＥＣＵ６０に対して、ＣＡＮ１００を介して、目標アイドリング回転数又は目標回転上昇量が送信される。すなわち、エンジン回転数（アイドリング回転数）の上昇要求が行われる。なお、上述したように、目標アイドリング回転数又は目標回転上昇量（エンジン回転数上昇要求）を受信したＥＣＵ６０は、受信した目標アイドリング回転数又は目標回転上昇量にしたがって、エンジン回転数（アイドリング回転数）を上昇させる。
【００４７】
以上、説明したように、本実施形態によれば、Ｐレンジが選択された場合にパーキングピストン１１１に対する油圧の供給が停止され、Ｐレンジ以外のシフトレンジが選択された場合にパーキングピストン１１１に対して油圧が供給される。また、Ｐレンジが選択されており、路面の勾配が所定値以上である場合に、オイルポンプ２２を駆動するエンジン７０のエンジン回転数（アイドリング回転数）が上昇される。そのため、エンジン回転数の上昇により、オイルポンプ２２の回転数が上昇し、オイルポンプ２２の吐出量（油圧）が増大する。よって、パーキングロック機構１１０を大型化することなく（受圧面積を増大することなく）パーキングロックを解除するときの推力（押力）を増大することができる。その結果、パーキングロック機構１１０を大型化することなく、坂路（登降坂路）におけるパーキングロック解除性能を確保することが可能となる。
【００４８】
特に、本実施形態によれば、Ｐレンジが選択されており、路面の勾配が所定値以上であり、かつ、制動操作がされている場合に、オイルポンプ２２を駆動するエンジン７０のエンジン回転数（アイドリング回転数）が上昇される。そのため、制動操作が行われ、パーキングロックを解除することが予想される場合にエンジン回転数が上昇される。よって、パーキングロックを解除する際に必要な制動操作（ブレーキ操作）をエンジン回転数上昇要求の条件とすることで、エンジン回転数の上昇による実燃費の悪化や振動・騒音の発生を最小限にすることが可能となる。
【００４９】
また、本実施形態によれば、路面の勾配が大きくなるほど、エンジン回転数の上昇量が大きくされる（アイドリング回転数が高くされる）。そのため、路面の勾配が大きくなるほど、オイルポンプ２２の回転数が上昇され、オイルポンプ２２の吐出量（油圧）が増大される。すなわち、油圧による推力が増大される。よって、路面の勾配の大きさに応じて、油圧の大きさを調節でき、適切な油圧を発生させることが可能となる。
【００５０】
さらに、本実施形態によれば、パーキングピストン１１１が、ピストン１１１ａの一方の端部側に設けられた油室１１１ｂと、ピストン１１１ａの他方の端部側に配設されたスプリング１１１ｃとを有し、油室１１１ｂに供給される油圧による押力と、スプリング１１１ｃの付勢力とのバランスにより、ピストン１１１ａが軸方向に移動することにより、パーキングギヤ１１４のロック状態が切り替えられるため、確実に、油圧の押力により、パーキングギヤ１１４のロック状態を切り替えることができる。
【００５１】
以上、本発明の実施の形態について説明したが、本発明は、上記実施形態に限定されるものではなく種々の変形が可能である。例えば、上記実施形態のシステム構成は一例であり、本発明のシステム構成は上記実施形態には限られない。例えば、ＳＢＷ−ＣＵ４０とＳＢＷアクチュエータ１１を一体にしてもよい。また、ＳＢＷ−ＣＵ４０とＴＣＵ５０とを一つのユニットとしてもよい。
【００５２】
さらに、上記実施形態で示した制動操作条件判断（ステップＳ１０４）は省略してもよい。すなわち、ステップＳ１０２が肯定された場合には、ステップＳ１０６に処理を移行するようにしてもよい。
【符号の説明】
【００５３】
１  パーキングロック装置
１０  自動変速機
１１  シフトバイワイヤ・アクチュエータ
１１１  パーキングピストン
１１１ａ  ピストン（スプールバルブ）
１１２  パーキングロッド
１１３  パーキングポール
１１４  パーキングギヤ
２０  シフトレンジスイッチ
２１  シフトレバー
２２  オイルポンプ
４０  シフトバイワイヤ・コントロールユニット（ＳＢＷ−ＣＵ）
４１  切替制御部
４２  回転数制御部
５０  トランスミッション・コントロールユニット（ＴＣＵ）
６０  エンジン・コントロールユニット（ＥＣＵ）
６１  クランク角センサ
６２  電子制御式スロットルバルブ
７０  エンジン
８０  ビークルダイナミック・コントロールユニット（ＶＤＣＵ）
８１  ブレーキ油圧センサ
８２  Ｇセンサ（勾配センサ）
８３  ブレーキアクチュエータ
１００  ＣＡＮ
【図１】
2020046040.tif 000003
【図２】
2020046040.tif 000004
【図３】
2020046040.tif 000005